(57)【要約】【課題】上り帯域割当て要求を効率的に行うことが可能な移動機および帯域割当て要求方法を提供する。【解決手段】基地局２０へ送信するデータのサイズが所定の閾値Ｘを超えた大きいサイズのデータであることが判断部１３０により判断された場合に、生成部１４０および割当て要求部１５０は記録領域Ａ５が拡張されているフォーマットの帯域割当て要求ヘッダを用いて帯域割当て要求を行う。当該フォーマットにおける記録領域Ａ５は拡張されているため、生成部１４０および割当て要求部１５０は当該拡張された記録領域Ａ５に大きい帯域サイズを記録して帯域割当て要求を行うことができる。つまり、割当て要求部１５０が１回で要求可能な帯域のサイズが大きくなる。以上により、本実施形態によれば、特に大量の上りトラフィックが発生した場合に、基地局２０に対する帯域割当て要求を効率的に行うことが可能となる。【選択図】図１
2009094807.tif 000002
【特許請求の範囲】
【請求項１】
上り通信により基地局へデータを送信する際に、帯域割当て要求ヘッダを用いて前記上り通信のための帯域の割当てを前記基地局に要求する移動機であって、
前記帯域割当て要求ヘッダは、割当てを要求する帯域のサイズを記録するための第１記録領域が拡張されており、且つ前記第１記録領域が拡張された旨を表す拡張フラグを記録するための第２記録領域を有し、
前記基地局へ送信すべきデータ、および前記データのサイズに関連した所定の閾値を格納する格納手段と、
前記格納手段に格納された前記データのサイズと前記閾値とを比較し、前記データのサイズが前記閾値を超えたことを判断する判断手段と、
前記判断手段により前記データのサイズが前記閾値を超えたことが判断された場合に、前記帯域割当て要求ヘッダの前記拡張された第１記録領域に割当て要求を行う帯域のサイズを記録し、且つ前記帯域割当て要求ヘッダの前記第２記録領域に前記第１記録領域が拡張された旨を表す拡張フラグを記録した後に、当該記録後の帯域割当て要求ヘッダを前記基地局に送信することにより前記第１記録領域に記録したサイズの帯域割当てを前記基地局に要求する割当て要求手段と、
前記割当て要求手段の割当て要求に応じて前記基地局が割当てた帯域を用いて、前記格納手段に格納された前記データを前記基地局に送信する送信手段と、
を備えることを特徴とする移動機。
【請求項２】
前記帯域割当て要求ヘッダにおいて、前記第１記録領域は、前記上り通信における送信電力報告が無い場合に、１９ビットより大きく拡張されていることを特徴とする請求項１記載の移動機。
【請求項３】
前記帯域割当て要求ヘッダにおいて、前記第１記録領域は、前記上り通信における送信電力報告が有る場合に、１１ビットより大きく拡張されていることを特徴とする請求項１記載の移動機。
【請求項４】
前記帯域割当て要求ヘッダは、前記割当て要求手段が前記基地局に帯域割当て要求を繰り返して行う回数を記録するための第３記録領域、および前記割当て要求手段が前記基地局に該帯域割当て要求を繰り返して行う旨を表す繰り返しフラグを記録するための第４記録領域を更に有し、
前記割当て要求手段は、前記帯域割当て要求ヘッダの前記第３記録領域に該帯域割当て要求を繰り返して行う回数を記録し、且つ前記帯域割当て要求ヘッダの前記第４記録領域に該帯域割当て要求を繰り返して行う旨を表す繰り返しフラグを記録した後に、当該記録後の帯域割当て要求ヘッダを前記基地局に送信することにより前記第１記録領域に記録したサイズの帯域割当てを、前記第３記録領域に記録した回数だけ複数回、前記基地局に要求する、
ことを特徴とする請求項１〜３の何れか１項に記載の移動機。
【請求項５】
前記帯域割当て要求ヘッダは、前記割当て要求手段が前記基地局に帯域割当て要求を繰り返して行う間隔を記録するための第５記録領域を更に有し、
前記割当て要求手段は、前記帯域割当て要求ヘッダの前記第５記録領域に該帯域割当て要求を繰り返して行う間隔を記録した後に、当該記録後の帯域割当て要求ヘッダを前記基地局に送信することにより前記第１記録領域に記録したサイズの帯域割当てを、前記第５記録領域に記録した間隔ごとに、前記第３記録領域に記録した回数だけ複数回、前記基地局に要求する、
ことを特徴とする請求項４に記載の移動機。
【請求項６】
上り通信により基地局へデータを送信する際に、帯域割当て要求ヘッダを用いて前記上り通信のための帯域の割当てを前記基地局に要求する移動機における帯域割当て要求方法であって、
前記帯域割当て要求ヘッダは、割当てを要求する帯域のサイズを記録するための第１記録領域が拡張されており、且つ前記第１記録領域が拡張された旨を表す拡張フラグを記録するための第２記録領域を有し、
前記移動機の格納手段には、前記基地局へ送信すべきデータ、および前記データのサイズに関連した所定の閾値が格納されており、
前記移動機の判断手段が、前記格納手段に格納された前記データのサイズと前記閾値とを比較し、前記データのサイズが前記閾値を超えたことを判断する判断ステップと、
前記移動機の割当て要求手段が、前記判断手段により前記データのサイズが前記閾値を超えたことが判断された場合に、前記帯域割当て要求ヘッダの前記拡張された第１記録領域に割当て要求を行う帯域のサイズを記録し、且つ前記帯域割当て要求ヘッダの前記第２記録領域に前記第１記録領域が拡張された旨を表す拡張フラグを記録した後に、当該記録後の帯域割当て要求ヘッダを前記基地局に送信することにより前記第１記録領域に記録したサイズの帯域割当てを前記基地局に要求する割当て要求ステップと、
前記移動機の送信手段が、前記割当て要求手段の割当て要求に応じて前記基地局が割当てた帯域を用いて、前記格納手段に格納された前記データを前記基地局に送信する送信ステップと、
を備えることを特徴とする帯域割当て要求方法。
【発明の詳細な説明】
【技術分野】
【０００１】
本発明は、移動機および帯域割当て要求方法に関するものである。
【背景技術】
【０００２】
従来、IEEE(米国電気電子学会)で承認された固定無線通信の標準規格であるWiMAX（Worldwide Interoperability for Microwave Access）が知られている（非特許文献１〜２を参照）。WiMAXでは、上りの送信データが発生した場合に、まず、通信端末が、データを送信するために必要な上りの帯域を割当てるよう基地局に要求する。次に、基地局が、要求された上りの帯域を通信端末に割当てる。そして、通信端末が、当該割当てられた上りの帯域を用いてデータを送信する。
【非特許文献１】“IEEE Std 802.16-2004”, The Instituteof Electrical and Electronics Engineers, 2004.
【非特許文献２】“IEEE Std 802.16e-2005”, The Instituteof Electrical and Electronics Engineers, 2005.
【発明の開示】
【発明が解決しようとする課題】
【０００３】
通信端末による上り帯域割当ての要求は上記規格の仕様に基づいて行われる。このため、通信端末は、WiMAXの標準規格におけるBandwidth request headerのフォーマットに基づいて、１回の上り帯域割当て要求で最大にしても２１９bytes（ただし、上り送信電力報告（UL Tx powerreport）有りの場合は２１１bytes)までの帯域しか基地局側に要求することができない。この仕様は少量のトラフィックがバースト的に発生する際には問題とならない。しかしながら、例えば巨大なサイズのデータをアップロードする場合など、大量の上りトラフィックが発生した場合には、１回の帯域割当て要求で要求可能な帯域のサイズが小さいがために、上り帯域割当ての要求を複数回にわたって繰り返して行う必要があり、非効率的であった。
【０００４】
そこで、本発明は上記に鑑みてなされたもので、上り帯域割当て要求を効率的に行うことが可能な移動機および帯域割当て要求方法を提供することを目的とする。
【課題を解決するための手段】
【０００５】
上記課題を解決するために、本発明の移動機は、上り通信により基地局へデータを送信する際に、帯域割当て要求ヘッダを用いて上り通信のための帯域の割当てを基地局に要求する移動機であって、帯域割当て要求ヘッダは、割当てを要求する帯域のサイズを記録するための第１記録領域が拡張されており、且つ第１記録領域が拡張された旨を表す拡張フラグを記録するための第２記録領域を有し、基地局へ送信すべきデータ、およびデータのサイズに関連した所定の閾値を格納する格納手段と、格納手段に格納されたデータのサイズと閾値とを比較し、データのサイズが閾値を超えたことを判断する判断手段と、判断手段によりデータのサイズが閾値を超えたことが判断された場合に、帯域割当て要求ヘッダの拡張された第１記録領域に割当て要求を行う帯域のサイズを記録し、且つ帯域割当て要求ヘッダの第２記録領域に第１記録領域が拡張された旨を表す拡張フラグを記録した後に、当該記録後の帯域割当て要求ヘッダを基地局に送信することにより第１記録領域に記録したサイズの帯域割当てを基地局に要求する割当て要求手段と、割当て要求手段の割当て要求に応じて基地局が割当てた帯域を用いて、格納手段に格納されたデータを基地局に送信する送信手段と、を備える。
【０００６】
また、本発明の帯域割当て要求方法は、上り通信により基地局へデータを送信する際に、帯域割当て要求ヘッダを用いて上り通信のための帯域の割当てを基地局に要求する移動機における帯域割当て要求方法であって、帯域割当て要求ヘッダは、割当てを要求する帯域のサイズを記録するための第１記録領域が拡張されており、且つ第１記録領域が拡張された旨を表す拡張フラグを記録するための第２記録領域を有し、移動機の格納手段には、基地局へ送信すべきデータ、およびデータのサイズに関連した所定の閾値が格納されており、移動機の判断手段が、格納手段に格納されたデータのサイズと閾値とを比較し、データのサイズが閾値を超えたことを判断する判断ステップと、移動機の割当て要求手段が、判断手段によりデータのサイズが閾値を超えたことが判断された場合に、帯域割当て要求ヘッダの拡張された第１記録領域に割当て要求を行う帯域のサイズを記録し、且つ帯域割当て要求ヘッダの第２記録領域に第１記録領域が拡張された旨を表す拡張フラグを記録した後に、当該記録後の帯域割当て要求ヘッダを基地局に送信することにより第１記録領域に記録したサイズの帯域割当てを基地局に要求する割当て要求ステップと、移動機の送信手段が、割当て要求手段の割当て要求に応じて基地局が割当てた帯域を用いて、格納手段に格納されたデータを基地局に送信する送信ステップと、を備える。
【０００７】
このような本発明の移動機および帯域割当て要求方法によれば、基地局へ送信するデータのサイズが所定の閾値を超えた大きいサイズのデータであることが判断手段により判断された場合に、割当て要求手段は第１記録領域が拡張されている帯域割当て要求ヘッダを用いて帯域割当て要求を行う。帯域割当て要求ヘッダの第１記録領域は拡張されているため、割当て要求手段は当該拡張された第１記録領域に大きい帯域サイズを記録して帯域割当て要求を行うことができる。つまり、割当て要求手段が１回で要求可能な帯域のサイズが大きくなる。
【０００８】
したがって、割当て要求手段は、所望のサイズの帯域を基地局に要求するために、例えば第１記録領域が小さく設定された帯域割当て要求ヘッダを用いて小さいサイズの帯域を複数回にわたって頻繁に要求する代わりに、第１記録領域が大きく拡張されている帯域割当て要求ヘッダを用いて帯域割当て要求を行う回数を減らすことができる。以上により、本発明の移動機および帯域割当て要求方法によれば、特に大量の上りトラフィックが発生した場合に、基地局に対する帯域割当て要求を効率的に行うことが可能となる。
【０００９】
また、割当て要求手段は、帯域割当て要求ヘッダの第２記録領域に、第１記録領域が拡張された旨を表す拡張フラグを記録する。このため、当該帯域割当て要求ヘッダを受信した基地局は、第２記録領域に記録されている拡張フラグを確認することにより、移動機の割当て要求手段が第１記録領域の拡張された帯域割当て要求ヘッダを用いて帯域割当て要求を行っていることを認識することができる。
【００１０】
また、帯域割当て要求ヘッダにおいて、第１記録領域は、上り通信における送信電力報告が無い場合に、１９ビットより大きく拡張されていることが好ましい。
【００１１】
この発明によれば、上り通信における送信電力報告が無い場合には、第１記録領域が１９ビットより大きく拡張されている。このため、割当て要求手段は、上り通信における送信電力報告が無い場合に、１回の上り帯域割当て要求で２１９bytes以上の帯域を基地局側に要求することができる。一方で、WiMAXの標準規格の元では、上り通信における送信電力報告が無い場合に、１回の上り帯域割当て要求で最大にしても２１９bytesまでの帯域しか要求できない。
【００１２】
また、帯域割当て要求ヘッダにおいて、第１記録領域は、上り通信における送信電力報告が有る場合に、１１ビットより大きく拡張されていることが好ましい。
【００１３】
この発明によれば、上り通信における送信電力報告が有る場合には、第１記録領域が１１ビットより大きく拡張されている。このため、割当て要求手段は、上り通信における送信電力報告が有る場合に、１回の上り帯域割当て要求で２１１bytes以上の帯域を基地局側に要求することができる。一方で、WiMAXの標準規格の元では、上り通信における送信電力報告が有る場合に、１回の上り帯域割当て要求で最大にしても２１１bytesまでの帯域しか要求できない。
【００１４】
また、帯域割当て要求ヘッダは、割当て要求手段が基地局に帯域割当て要求を繰り返して行う回数を記録するための第３記録領域、および割当て要求手段が基地局に該帯域割当て要求を繰り返して行う旨を表す繰り返しフラグを記録するための第４記録領域を更に有し、割当て要求手段は、帯域割当て要求ヘッダの第３記録領域に該帯域割当て要求を繰り返して行う回数を記録し、且つ帯域割当て要求ヘッダの第４記録領域に該帯域割当て要求を繰り返して行う旨を表す繰り返しフラグを記録した後に、当該記録後の帯域割当て要求ヘッダを基地局に送信することにより第１記録領域に記録したサイズの帯域割当てを、第３記録領域に記録した回数だけ複数回、基地局に要求する、ことが好ましい。
【００１５】
この発明によれば、帯域割当て要求ヘッダは第３記録領域を更に有しており、割当て要求手段は当該第３記録領域に帯域割当て要求を繰り返して行う回数（例えば、回数ｔ）を記録して帯域割当て要求を行う。このことにより、割当て要求手段は、第１記録領域に記録されたサイズ（例えば、サイズｓ）の帯域割当てを、第３記録領域に記録された回数ｔだけ複数回要求する旨を基地局に伝えることができる。つまり、割当て要求手段は、サイズｓ＊回数ｔだけのサイズの帯域を基地局に要求するために、回数ｔだけ複数回の割当て要求を行う代わりに、１回の帯域割当て要求で上記帯域割当て要求を済ませることができる。以上により、この発明によれば、特に大量の上りトラフィックが発生した場合に、基地局に対する帯域割当て要求を効率的に行うことが可能となる。
【００１６】
また、帯域割当て要求ヘッダは第４記録領域を更に有しており、割当て要求手段は帯域割当て要求を繰り返して行う旨を表す繰り返しフラグを当該第４記録領域に記録する。このため、当該帯域割当て要求ヘッダを受信した基地局は、第４記録領域に記録されている繰り返しフラグを確認することにより、移動機の割当て要求手段が帯域割当て要求を繰り返して行っていることを認識することができる。
【００１７】
また、帯域割当て要求ヘッダは、割当て要求手段が基地局に帯域割当て要求を繰り返して行う間隔を記録するための第５記録領域を更に有し、割当て要求手段は、帯域割当て要求ヘッダの第５記録領域に該帯域割当て要求を繰り返して行う間隔を記録した後に、当該記録後の帯域割当て要求ヘッダを基地局に送信することにより第１記録領域に記録したサイズの帯域割当てを、第５記録領域に記録した間隔ごとに、第３記録領域に記録した回数だけ複数回、基地局に要求する、ことが好ましい。
【００１８】
この発明によれば、帯域割当て要求ヘッダは第５記録領域を更に有しており、割当て要求手段は当該第５記録領域に帯域割当て要求を繰り返して行う間隔を記録して帯域割当て要求を行う。このことにより、割当て要求手段は、第１記録領域に記録されたサイズの帯域割当てを、第５記録領域に記録された間隔ごとに、第３記録領域に記録された回数だけ複数回要求する旨を基地局に伝えることができる。
【発明の効果】
【００１９】
本発明によれば、上り帯域割当て要求を効率的に行うことが可能な移動機および帯域割当て要求方法を提供することができる。
【発明を実施するための最良の形態】
【００２０】
以下、添付図面を参照して本発明にかかる移動機および帯域割当て要求方法の好適な実施形態を詳細に説明する。なお、図面の説明において同一の要素には同一の符号を付し、重複する説明を省略する。また、図面の寸法や比率は、説明のものと必ずしも一致していない。
【００２１】
（通信システム１の全体構成）
まず、本発明の実施形態に係る移動機１０を含む通信システム１の全体の構成について、図１〜図３を参照しながら説明する。図１は、通信システム１の構成概要図である。図２および図３は、通信システム１の動作を示すシーケンス図である。図１に示すように、通信システム１には、移動機１０および基地局２０が含まれている。図示はしないが、移動機１０は基地局２０が形成する無線ゾーン（セル）に在圏しており、移動機１０と基地局２０との間ではデータの送受信が可能である。以下、通信システム１の各構成要素について詳細に説明する。
【００２２】
（基地局２０の構成）
まず、基地局２０について説明する。基地局２０は、マルチキャリア伝送方式の一種である直交周波数分割多重（OFDM，Orthogonal Frequency Division Multiplexing）や直交周波数分割多元接続（OFDMA，Orthogonal FrequencyDivision Multiple Access）技術が適用されたWiMAXを使用して移動機１０から伝送される上りデータを受信する通信基地局（BS: Base Station）である。基地局２０は、図示はしないが、移動機１０より上りデータを受信するための受信手段を備えていても良く、移動機１０が上りデータを送信する際に使用する通信帯域を当該移動機１０の要求に応じて割当てるための割当て手段を更に備えていても良い。
【００２３】
また、基地局２０は、図示はしないが、物理的には、ＣＰＵ、ＲＯＭ及びＲＡＭ等の主記憶装置、キーボード及びマウス等の入力デバイス、ディスプレイ等の出力デバイス、移動機１０との間でデータの送受信を行うためのネットワークカード等の通信モジュール、ハードディスク等の補助記憶装置などを含む通常のコンピュータシステムとして構成される。後述する基地局２０の各機能は、ＣＰＵ、ＲＯＭ、ＲＡＭ等のハードウェア上に所定のコンピュータソフトウェアを読み込ませることにより、ＣＰＵの制御の元で入力デバイス、出力デバイス、通信モジュールを動作させると共に、主記憶装置や補助記憶装置におけるデータの読み出し及び書き込みを行うことで実現される。
【００２４】
（移動機１０の構成）
次に、本発明の実施形態に係る移動機１０について詳細に説明する。移動機１０は、マルチキャリア伝送方式の一種であるOFDMやOFDMA技術が適用されたWiMAXを使用して基地局２０への上り通信を行う移動通信端末（MS: Mobile Station）である。図４は移動機１０のハードウェア構成図である。図４に示すように、移動機１０は、物理的には、ＣＰＵ１１、主記憶装置であるＲＯＭ１２及びＲＡＭ１３、操作ボタンなどの入力デバイス１４、ＬＣＤや有機ＥＬディスプレイなどの出力デバイス１５、基地局２０との間でデータの送受信を行う通信モジュール１６、メモリディバイス等の補助記憶装置１７を備えて構成される。後述する移動機１０の各機能は、ＣＰＵ１１、ＲＯＭ１２、ＲＡＭ１３等のハードウェア上に所定のソフトウェアを読み込ませることにより、ＣＰＵ１１の制御の元で入力デバイス１４、出力デバイス１５、通信モジュール１６を動作させると共に、主記憶装置１２，１３や補助記憶装置１７におけるデータの読み出し及び書き込みを行うことで実現される。
【００２５】
図１〜図３に戻り、移動機１０は、機能的には、アプリケーション１１０、ＱｏＳ要求処理部１２０、判断部１３０（判断手段）、生成部１４０、割当て要求部１５０（以上、割当て要求手段）、データ送信部１６０（データ送信手段）および格納部１７０（格納手段）を備えて構成される。以下、移動機１０の各構成要素について詳細に説明する。
【００２６】
（アプリケーション１１０および上りデータ送信端末３０）
アプリケーション１１０は、移動機１０内に搭載されてユーザ向けの様々なサービスを実行する通常のアプリケーションであって、本実施形態では、上り通信により基地局２０へ送信すべきデータを有するものである。また、図１に示す上りデータ送信端末３０は、移動機１０とデータ送受信が可能なように通信接続された例えばＰＣ等の端末であって、上記のアプリケーション１１０と同様に、上り通信により基地局２０へ送信すべきデータを有しているものである。アプリケーション１１０および上りデータ送信端末３０は、基地局２０へ送信すべきデータを移動機１０の格納部１７０に送信すると共に、当該データを基地局２０へ送信する旨を表す情報を含むＱｏＳ要求情報を移動機１０のＱｏＳ要求処理部１２０に送信する。このＱｏＳ要求情報には、基地局２０へ送信すべきデータのサイズを表す情報が含まれていても良い（以上、図２および図３のステップＳ１０１を参照）。
【００２７】
（格納部１７０）
格納部１７０は、アプリケーション１１０または上りデータ送信端末３０より送信されたデータを受信して格納するものである。格納部１７０は、上記データを一時的に格納する例えばバッファを別途備えていても良い。また、格納部１７０は、データのサイズに関連した所定の閾値である閾値Ｘを格納している。この閾値Ｘは、後述するように判断部１３０により参照可能なものであり、通信システム１の構成条件や通信条件により適宜に調整可能なものである。
【００２８】
更に、本実施形態における格納部１７０は、帯域割当て要求ヘッダ(BW RequestHeader)のフォーマットを表す情報を格納する。帯域割当て要求ヘッダは、移動機１０が上り通信のための帯域の割当てを基地局２０に要求する際に用いるものである。以下、本実施形態における帯域割当て要求ヘッダについて詳細に説明する。
【００２９】
（帯域割当て要求ヘッダＨ１）
図５は、本実施形態における帯域割当て要求ヘッダの一例をイメージしている図であって、上り通信における送信電力報告が無い場合に用いられる帯域割当て要求ヘッダＨ１のフォーマットを示している。図５に示すように、帯域割当て要求ヘッダＨ１には複数の記録領域Ａ１〜Ａ７が設けられている。記録領域Ａ１は、WiMAXの標準規格の元では例えば「HT field」と呼ばれる部分で、例えば「HT=1」とセットされることにより、記録領域Ａ１以後に記録される情報の集合が帯域割当て要求を行うためのヘッダ情報であることを表す部分である。記録領域Ａ２は、WiMAXの標準規格の元では例えば「EC field」と呼ばれる部分で、例えば「EC=0」とセットされることにより、帯域割当て要求ヘッダＨ１が暗号化されていないことを表す部分である。
【００３０】
記録領域Ａ３（第２記録領域）は、WiMAXの標準規格の元では存在しない記録領域であって、後述する記録領域Ａ５（第１記録領域）がWiMAXの標準規格に比べて拡張された旨を表す拡張フラグExtを記録するための部分である。本実施形態では、例えば「Ext=1」とセットすることにより、記録領域Ａ５が拡張された旨を表す。基地局２０の例えば割当て手段（図示せず）は、この記録領域Ａ３の記録を確認することにより、記録領域Ａ５が拡張された帯域割当て要求ヘッダを使用して移動機１０が帯域割当て要求を行うことを認識することができる。記録領域Ａ４は、WiMAXの標準規格の元では例えば「TYPE field」と呼ばれる部分で、本Type fieldが含まれるBandwidth RequestHeaderの要求する上り帯域が、NW未割当ての帯域への追加分を示すのか、移動機の要求する上り帯域の全総量を示すのかを表す部分である。
【００３１】
記録領域Ａ５は、WiMAXの標準規格の元では例えば「BR field」と呼ばれる部分で、割当てを要求する帯域のサイズを記録するための部分である。図５では、記録領域Ａ５が、１９ビット（後述する図６を参照）より大きく、例えば２７ビットに設定されている。このように記録領域Ａ５が２７ビットに設定されていると、１回の上り帯域割当て要求で最大134,217,228byte（２２７byte）までの帯域割当て要求が可能となる。また、記録領域Ａ５には、剰余分の領域（Reserved領域）として８ビットが更に設けられている。この剰余分の領域も必要に応じては帯域のサイズを記録するために用いても良い。
【００３２】
記録領域Ａ６は、WiMAXの標準規格の元では例えば「CID field」と呼ばれる部分で、基地局と移動機の間のコネクションごとに個別に付与される識別子であることを表す部分である。記録領域Ａ７は、WiMAXの標準規格の元では例えば「HCS field」と呼ばれる部分で、本ヘッダの伝送区間での誤りを検出する為に送信側が付与するチェック領域であることを表す部分である。
【００３３】
以上により、帯域割当て要求ヘッダＨ１について説明した。これに対して、図６は、WiMAXの標準規格で定められている帯域割当て要求ヘッダをイメージしている図であって、上り通信における送信電力報告が無い場合に用いられる帯域割当て要求ヘッダＨ２のフォーマットを示している。図６に示すように、帯域割当て要求ヘッダＨ２には、上記説明したような記録領域Ａ１，Ａ２，Ａ４，Ａ６，Ａ７と同様なものが設けられているが、記録領域Ａ３が設けられておらず、また記録領域Ａ５は１９ビットに設定されている。
【００３４】
つまり、上記図５を参照しながら説明した帯域割当て要求ヘッダＨ１は、図６に示されるWiMAXの標準規格で定められたフォーマットの帯域割当て要求ヘッダＨ２に比べると、記録領域Ａ５が大きく拡張されている。なお、WiMAXの標準規格の元で記録領域Ａ５が１９ビットに設定されていると、１回の上り帯域割当て要求で最大にしても524,287byte（２１９-1byte）までの帯域しか要求できない。これは、帯域割当て要求ヘッダＨ１を用いて要求可能な帯域である134,217,227byte（２２７-1byte）の約１／２５６に過ぎない。
【００３５】
（帯域割当て要求ヘッダＨ３）
次に、本実施形態における別の帯域割当て要求ヘッダについて、図７を参照しながら詳細に説明する。図７は、本実施形態における別の帯域割当て要求ヘッダの一例をイメージしている図であって、上り通信における送信電力報告が有る場合に用いられる帯域割当て要求ヘッダＨ３のフォーマットを示している。
【００３６】
図７に示すように、帯域割当て要求ヘッダＨ３には複数の記録領域Ａ１〜Ａ８が設けられている。記録領域Ａ１〜Ａ４，Ａ６〜Ａ７については、上記説明した帯域割当て要求ヘッダＨ１のそれらと相違点がないため、説明を省略する。
【００３７】
帯域割当て要求ヘッダＨ３の記録領域Ａ５は、上述したようにWiMAXの標準規格の元では例えば「BR field」と呼ばれる部分で、割当てを要求する帯域のサイズを記録するための部分である。図７では、記録領域Ａ５が、１１ビット（後述する図８を参照）より大きく、例えば１９ビットに設定されている。このように記録領域Ａ５が１９ビットに設定されていると、１回の上り帯域割当て要求で最大524,287byte（２１９-1byte）までの帯域割当て要求が可能となる。また、記録領域Ａ５には、剰余分の領域（Reserved領域）として８ビットが更に設けられている。この剰余分の領域も必要に応じては帯域のサイズを記録するために用いても良い。
【００３８】
記録領域Ａ８は、移動機１０がデータを基地局２０に送信する際に消費する送信電力を当該基地局２０に報告するための部分である。
【００３９】
以上により、帯域割当て要求ヘッダＨ３について説明した。これに対して、図８は、WiMAXの標準規格で定められている帯域割当て要求ヘッダをイメージしている図であって、上り通信における送信電力報告が有る場合に用いられる帯域割当て要求ヘッダＨ４のフォーマットを示している。図８に示すように、帯域割当て要求ヘッダＨ４には、上記説明したような記録領域Ａ１〜Ａ２，Ａ４，Ａ６〜Ａ８と同様なものが設けられているが、記録領域Ａ３が設けられておらず、また記録領域Ａ５は１１ビットに設定されている。
【００４０】
つまり、上記図７を参照しながら説明した帯域割当て要求ヘッダＨ３は、図８に示されるWiMAXの標準規格で定められたフォーマットの帯域割当て要求ヘッダＨ４に比べると、記録領域Ａ５が大きく拡張されている。なお、WiMAXの標準規格の元で記録領域Ａ５が１１ビットに設定されていると、１回の上り帯域割当て要求で最大にしても2,047byte（２１１-1byte）までの帯域しか要求できない。これは、帯域割当て要求ヘッダＨ３を用いて要求可能な帯域である524,288byte（２１９byte）の１／２５６に過ぎない。
【００４１】
（帯域割当て要求ヘッダＨ５）
次に、本実施形態における更に別の帯域割当て要求ヘッダについて、図９を参照しながら詳細に説明する。図９は、本実施形態における更に別の帯域割当て要求ヘッダの一例をイメージしている図であって、上り通信における送信電力報告が無い場合に用いられる帯域割当て要求ヘッダＨ５のフォーマットを示している。
【００４２】
図９に示すように、帯域割当て要求ヘッダＨ５には複数の記録領域Ａ１〜Ａ７，Ａ９が設けられている。記録領域Ａ１〜Ａ４，Ａ６〜Ａ７については、図５を参照しながら上記説明した帯域割当て要求ヘッダＨ１のそれらと相違点がないため、説明を省略する。
【００４３】
帯域割当て要求ヘッダＨ５の記録領域Ａ５は、２７ビットに拡張されているが、剰余分の領域（Reserved領域）としての８ビットが設けられていない。その代わりに、帯域割当て要求ヘッダＨ５には、記録領域Ａ９が設けられている。記録領域Ａ９は、同様の帯域割当て要求を複数回にわたって繰り返して行うことを防止するために設けられた部分であって、記録領域Ａ９１（第４記録領域）、記録領域Ａ９２（第５記録領域）および記録領域Ａ９３（第３記録領域）の３つの記録領域からなる。
【００４４】
記録領域Ａ９１は、基地局２０に帯域割当て要求を繰り返して行う旨を表す繰り返しフラグRepを記録するための記録領域である。記録領域Ａ９１に例えば「Rep=1」とセットされたことは、記録領域Ａ５に記録されたサイズの帯域が繰り返して要求されることを表す。基地局２０の例えば割当て手段（図示せず）は、この記録領域Ａ９１の記録を確認することにより、移動機１０が帯域割当て要求を繰り返して行うことを認識することができる。
【００４５】
記録領域Ａ９２は、基地局２０に帯域割当て要求を繰り返して行う間隔Dimを記録するための記録領域である。記録領域Ａ９２に例えば「Dim=0:frame」とセットされたことは、記録領域Ａ５に記録されたサイズの帯域がフレーム単位で繰り返して要求されることを表す。また、記録領域Ａ９２に例えば「Dim=1:time」とセットされたことは、記録領域Ａ５に記録されたサイズの帯域が任意の時間（例えば１秒など）単位で繰り返して要求されることを表す。基地局２０の例えば割当て手段（図示せず）は、この記録領域Ａ９２の記録を確認することにより、移動機１０が帯域割当て要求を記録領域Ａ９２に記録された間隔で繰り返して行うことを認識することができる。
【００４６】
記録領域Ａ９３は、基地局２０に該帯域割当て要求を繰り返して行う回数ｔを記録するための記録領域である。記録領域Ａ９３に例えば「t=31」とセットされたことは、記録領域Ａ５に記録されたサイズの帯域が記録領域Ａ９２に記録された間隔で３1回繰り返して要求されることを表す。基地局２０の例えば割当て手段（図示せず）は、この記録領域Ａ９３の記録を確認することにより、移動機１０が帯域割当て要求を記録領域Ａ９３に記録された回数ｔだけ複数回繰り返して行うことを認識することができる。
【００４７】
（帯域割当て要求ヘッダＨ６）
次に、本実施形態におけるまた別の帯域割当て要求ヘッダについて、図１０を参照しながら詳細に説明する。図１０は、本実施形態におけるまた別の帯域割当て要求ヘッダの一例をイメージしている図であって、上り通信における送信電力報告が有る場合に用いられる帯域割当て要求ヘッダＨ６のフォーマットを示している。
【００４８】
図１０に示すように、帯域割当て要求ヘッダＨ６には複数の記録領域Ａ１〜Ａ９が設けられている。記録領域Ａ１〜Ａ４，Ａ６〜Ａ８については、図７を参照しながら上記説明した帯域割当て要求ヘッダＨ３のそれらと相違点がないため、説明を省略する。
【００４９】
帯域割当て要求ヘッダＨ６の記録領域Ａ５は、１９ビットに拡張されているが、剰余分の領域（Reserved領域）としての８ビットが設けられていない。その代わりに、帯域割当て要求ヘッダＨ６には、記録領域Ａ９が設けられている。この記録領域Ａ９については、図９を参照しながら上記説明した帯域割当て要求ヘッダＨ５のそれと相違点がないため、説明を省略する。
【００５０】
（ＱｏＳ要求処理部１２０）
図１〜図３に戻り、ＱｏＳ要求処理部１２０は、データを基地局２０へ送信する旨を表す情報を含むＱｏＳ要求情報をアプリケーション１１０または上りデータ送信端末３０より受信すると、基地局２０との間での上り通信を開始させるものである。具体的に、ＱｏＳ要求処理部１２０は、まず、上記説明した帯域割当て要求ヘッダＨ１〜Ｈ６のうちの何れか一つを後ほど割当て要求部１５０が基地局２０へ送信するための帯域を確保するために、BW Request (CDMA request code)を基地局２０へ送信する。次に、ＱｏＳ要求処理部１２０は、当該送信したBWRequest (CDMA request code)に応じて基地局２０から送信されるUL-MAP (CDMA allocation IE)を受信する。以上により、後ほど割当て要求部１５０が帯域割当て要求ヘッダを基地局２０へ送信するための帯域が確保される。そして、ＱｏＳ要求処理部１２０は、上記ＱｏＳ要求情報、および当該帯域が確保された旨を表す信号を判断部１３０に出力する（以上、図２および図３のステップＳ１０２およびステップＳ１０３を参照）。
【００５１】
（判断部１３０）
判断部１３０は、ＱｏＳ要求情報、および帯域割当て要求ヘッダを基地局２０へ送信するための帯域が確保された旨を表す信号をＱｏＳ要求処理部１２０により受信した後に、後ほどデータ送信部１６０が基地局２０に送信すべきデータのサイズに関する以下の判断を行うものである。具体的に、判断部１３０は、基地局２０に送信すべきデータのサイズと、閾値Ｘとを比較し、当該サイズが閾値Ｘを超えているか否かを判断する。判断部１３０は、当該サイズを表す情報をＱｏＳ要求処理部１２０より入力したＱｏＳ要求情報より抽出して良い。または、判断部１３０は、基地局２０へ送信すべきデータを格納部１７０より読み出して、当該データのサイズを自ら算出しても良い。また、判断部１３０は、閾値Ｘを表す情報を格納部１７０より読み出すことができる。判断部１３０は、以上の判断の結果を表す情報を生成部１４０に出力する。
【００５２】
また、判断部１３０は、帯域割当て要求を繰り返して行う必要があるか否かについて更に判断しても良い。この判断は、例えば、ＱｏＳ要求処理部１２０より入力したＱｏＳ要求情報に基づいて行うことができる。この場合に、ＱｏＳ要求情報には、帯域割当て要求を繰り返して行う必要があるか否かを表す情報と、繰り返して行う場合には当該帯域割当て要求を何れの間隔で何回繰り返して行うかに関する情報とが更に含まれていても良い。判断部１３０は、このように行った判断の結果を表す情報を生成部１４０に出力する。
【００５３】
または、判断部１３０は、帯域割当て要求を繰り返して行う必要があるか否かについての上記の判断を、基地局２０に送信すべきデータのサイズに基づいて行っても良い。この場合には、例えば、データのサイズに関する別の閾値である閾値Ｙが格納部１７０に更に格納されていても良い。判断部１３０は、例えば、当該閾値Ｙを表す情報を格納部１７０より読み出して、基地局２０に送信すべきデータのサイズが閾値Ｙを超えている場合に、帯域割当て要求を繰り返して行う必要があると判断しても良い。また、帯域割当て要求を繰り返して行う必要があると判断した場合には、判断部１３０は、当該帯域割当て要求を何れの間隔で何回繰り返して行うかを更に判断しても良い。この判断も、例えば基地局２０に送信すべきデータのサイズに基づいて他の閾値を用いて行うことができる。判断部１３０は、このように行った判断の結果を表す情報を生成部１４０に出力する（以上、図２および図３のステップＳ１０４を参照：判断ステップ）。
【００５４】
（生成部１４０）
生成部１４０は、帯域割当て要求ヘッダフォーマットの各記録領域に判断部１３０の判断結果を反映して適切な記録を行うことにより、基地局２０へ送信用の帯域割当て要求ヘッダを生成するものである。
【００５５】
具体的に、生成部１４０は、まず、基地局２０に送信すべきデータのサイズが閾値Ｘを超えているか否かに対する判断結果、および帯域割当て要求を繰り返して行うことに関しての判断結果を判断部１３０より入力する。
【００５６】
生成部１４０は、基地局２０に送信すべきデータのサイズが閾値Ｘを超えているが、帯域割当て要求を繰り返して行う必要は無いと判断された場合に、例えば図５または図７に示したような帯域割当て要求ヘッダＨ１またはＨ３のフォーマットを格納部１７０より読み出す。次に、生成部１４０は、帯域割当て要求ヘッダＨ１またはＨ３の記録領域Ａ３に記録領域Ａ５が拡張された旨を表すものとして「Ext=1」と記録する。次に、生成部１４０は、図５の帯域割当て要求ヘッダＨ１のフォーマットを読み出した場合は、２７ビットまで拡張されて設定されている記録領域Ａ５に割当て要求を行う帯域のサイズを134,217,228byte（２２７byte）の範囲内で記録する。一方、図７の帯域割当て要求ヘッダＨ３のフォーマットを読み出した場合は、生成部１４０は、１９ビットまで拡張されて設定されている記録領域Ａ５に割当て要求を行う帯域のサイズを524,288byte（２１９７byte）の範囲内で記録する。
【００５７】
以上により、生成部１４０は、基地局２０へ送信用の帯域割当て要求ヘッダを生成することができる。生成部１４０は、このように生成した基地局２０へ送信用の帯域割当て要求ヘッダを割当て要求部１５０に出力する。
【００５８】
これに対して、基地局２０に送信すべきデータのサイズが閾値Ｘを超えており、帯域割当て要求を繰り返して行う必要が有ると判断された場合には、生成部１４０は、例えば図９または図１０に示したような帯域割当て要求ヘッダＨ５またはＨ６のフォーマットを格納部１７０より読み出す。次に、生成部１４０は、帯域割当て要求ヘッダＨ５またはＨ６の記録領域Ａ３に記録領域Ａ５が拡張された旨を表すものとして「Ext=1」と記録する。次に、生成部１４０は、図９の帯域割当て要求ヘッダＨ５のフォーマットを読み出した場合は、２７ビットまで拡張されて設定されている記録領域Ａ５に割当て要求を行う帯域のサイズを134,217,227byte（２２７-1byte）の範囲内で記録する。一方、図１０の帯域割当て要求ヘッダＨ６のフォーマットを読み出した場合は、生成部１４０は、１９ビットまで拡張されて設定されている記録領域Ａ５に割当て要求を行う帯域のサイズを524,287byte（２１９-1byte）の範囲内で記録する。
【００５９】
次に、生成部１４０は、帯域割当て要求ヘッダＨ５またはＨ６の記録領域Ａ９１に基地局２０に帯域割当て要求を繰り返して行う旨を表すものとして「Rep=1」と記録する。次に、生成部１４０は、記録領域Ａ９２に、「Dim=0:frame」または「Dim=1:time」を記録する。この記録の態様は、例えば通信システム１の構成条件や通信条件により適宜に設定可能なものである。次に、生成部１４０は、記録領域Ａ９３に、基地局２０に該帯域割当て要求を繰り返して行う回数ｔを記録する。この記録の態様は、例えば基地局２０に送信すべきデータのサイズに基づいて適宜に調整可能なものである。
【００６０】
以上により、生成部１４０は、基地局２０へ送信用の帯域割当て要求ヘッダを生成することができる。生成部１４０は、このように生成した基地局２０へ送信用の帯域割当て要求ヘッダを割当て要求部１５０に出力する（以上、図２および図３のステップＳ１０５を参照）。
【００６１】
（割当て要求部１５０）
割当て要求部１５０は、基地局２０へ送信用の帯域割当て要求ヘッダを生成部１４０より入力して当該基地局２０に送信することにより、当該送信した帯域割当て要求ヘッダの記録領域Ａ５に記録されたサイズの帯域をデータ送信用に割当てるよう当該基地局２０に要求するものである（以上、図２のステップＳ１０６を参照）。
【００６２】
割当て要求部１５０が基地局２０へ送信する帯域割当て要求ヘッダに記録領域Ａ９が設けられている場合には、割当て要求部１５０は、帯域割当て要求ヘッダの記録領域Ａ５に記録されたサイズの帯域割当てを記録領域Ａ９２に記録された間隔で記録領域Ａ９３に記録された回数ｔだけ複数回繰り返して基地局２０に要求することとなる。この要求は、帯域割当て要求ヘッダを回数ｔだけ複数回繰り返して送信することで行われるものではなく、帯域割当て要求ヘッダを１回のみ送信することで行われる（以上、図３のステップＳ１０６を参照：割当て要求ステップ）。
【００６３】
（データ送信部１６０）
データ送信部１６０は、上記割当て要求部１５０の帯域割当て要求に応じて基地局２０が割当てた帯域を用いて、格納部１７０より読み出した上り送信データを基地局２０に送信するものである。基地局２０はUL-MAPを移動機１０に送信することにより当該帯域割当てを行うことができる（以上、図２のステップＳ１０７およびステップＳ１０８を参照：送信ステップ）。
【００６４】
割当て要求部１５０が帯域割当て要求ヘッダの記録領域Ａ５に記録されたサイズの帯域割当てを記録領域Ａ９２に記録された間隔で記録領域Ａ９３に記録された回数ｔだけ複数回繰り返して基地局２０に要求した場合には、データ送信部１６０は、当該要求に応じて基地局２０が回数ｔだけ複数回割当てた帯域を用いて、格納部１７０より読み出した上り送信データを基地局２０に回数ｔだけ複数回に分けて送信することができる。このデータ送信は、上述したように、帯域割当て要求ヘッダを回数ｔだけ複数回繰り返して送信することによって割当てられた帯域を用いて行われるものではなく、帯域割当て要求ヘッダを１回のみ送信することによって割当てられた帯域を用いて行われる（以上、図３のステップＳ１０７−１、ステップＳ１０７−２、…、ステップＳ１０７−ｔ、およびステップＳ１０８−１、ステップＳ１０８−２、…、ステップＳ１０８−ｔを参照）。
【００６５】
なお、データ送信部１６０に関する以上の説明においては、記録領域Ａ５に記録されたサイズの帯域を基地局２０が１回で全て割当てる場合を一例とした。しかしながら、様々な通信状況によっては、例えば記録領域Ａ５に記録されたサイズの帯域を基地局２０が１回で全て割当てることができない場合には、基地局２０は複数回にわたる部分的な帯域割当てを行うことにより記録領域Ａ５に記録されたサイズの帯域を移動機１０に割当てることができる。つまり、図示はしないが、図２および図３におけるステップＳ１０７、ステップＳ１０７−１、ステップＳ１０７−２、…、ステップＳ１０７−ｔのそれぞれが複数回のUL-MAP送信手順により行われ、また図２および図３におけるステップＳ１０８、ステップＳ１０８−１、ステップＳ１０８−２、…、ステップＳ１０８−ｔのそれぞれが複数回のデータ送信手順により行われることができる。
【００６６】
（移動機１０の動作）
続いて、本実施形態の移動機１０により行われる動作について、図１１および図１２を参照しながら説明する。図１１および図１２は、特に、移動機１０が図５〜図１０を参照しながら上記説明した帯域割当て要求ヘッダＨ１〜Ｈ６のフォーマットを使用可能であり、何れかの帯域割当て要求ヘッダのフォーマットを選択的に使用して帯域割当ての要求を行う場合の、移動機１０の動作を示すフローチャートである。なお、以下で行われる様々な判断手順は上記説明した判断部１３０により行われても良く、または移動機１０が各判断手順をそれぞれ行うための別の判断手段を更に備えていても良い。
【００６７】
（図１１のフローチャートにおける動作）
最初に、移動機１０が、基地局２０へデータを送信することを要求される。すなわち、移動機１０の格納部１７０が、基地局２０へ送信すべきデータをアプリケーション１１０または上りデータ送信端末３０より受信すると共に、ＱｏＳ要求処理部１２０がＱｏＳ要求情報を受信する。ＱｏＳ要求情報には、当該データを基地局２０へ送信する旨を表す情報が含まれており、基地局２０へ送信すべきデータのサイズを表す情報が含まれていても良く、更に移動機１０と基地局２０との間の上り通信がＵＧＳ(Unsolicited Grant Service)に基づくものであるか否かを表す情報が含まれていても良い（ステップＳ２０１）。
【００６８】
次に、移動機１０と基地局２０との間の上り通信がＵＧＳに基づくものであるか否かが判断される。この判断は、例えば上記ステップＳ２０１にて受信したＱｏＳ要求情報に基づいて行われることができる（ステップＳ２０２）。
【００６９】
ステップＳ２０２の判断にて、移動機１０と基地局２０との間の上り通信がＵＧＳに基づくものであると判断された場合には（ステップＳ２０２：ＹＥＳ）、処理の流れは図１２を参照しながら後述するステップＳ３０１に移行する。
【００７０】
一方、ステップＳ２０２の判断にて、移動機１０と基地局２０との間の上り通信がＵＧＳに基づくものでないと判断された場合には（ステップＳ２０２：ＮＯ）、上記ステップＳ２０１にて受信したＱｏＳ要求情報にコーディング(coding)情報が入っているか否かが判断される（ステップＳ２０３）。
【００７１】
ステップＳ２０３の判断にて、ＱｏＳ要求情報にコーディング情報が入っていると判断された場合には（ステップＳ２０３：ＹＥＳ）、コーディングテーブル(coding table)を参照することにより（ステップＳ２０４）、当該コーディングが知っているコーディングであるか否かが判断される（ステップＳ２０５）。
【００７２】
ステップＳ２０５の判断にて、当該コーディングが知っているコーディングであると判断された場合には（ステップＳ２０５：ＹＥＳ）、当該コーディングがリアルタイム固定ビットレートを表すものであるか否かが判断される（ステップＳ２０６）。
【００７３】
ステップＳ２０６の判断にて、当該コーディングがリアルタイム固定ビットレートを表すものであると判断された場合には（ステップＳ２０６：ＹＥＳ）、基地局２０に帯域割当て要求を繰り返して行う間隔Dimはフレーム(frame)単位であるか否かが判断される（ステップＳ２０７）。
【００７４】
ステップＳ２０７の判断にて、基地局２０に帯域割当て要求を繰り返して行う間隔Dimはフレーム単位であると判断された場合には（ステップＳ２０７：ＹＥＳ）、生成部１４０は、図９または図１０を参照しながら上記説明した帯域割当て要求ヘッダＨ５またはＨ６のフォーマットを使用して、基地局２０へ送信用の帯域割当て要求ヘッダを生成する。このとき、生成部１４０は、帯域割当て要求ヘッダＨ５またはＨ６の記録領域Ａ９２に、例えば「Dim=0:frame」とセットすることにより、帯域割当て要求ヘッダＨ５またはＨ６の記録領域Ａ５に記録されたサイズの帯域がフレーム単位で繰り返して要求される旨を記録する（ステップＳ２０８）。
【００７５】
次に、ステップＳ２０８にて生成された帯域割当て要求ヘッダが当該基地局２０に送信され、帯域割当て要求が行われる（ステップＳ２０９）。次に、ステップＳ２０９にて行われた帯域割当て要求に応じて基地局２０が割当てた帯域を用いて、ステップＳ２０１にて受信したデータが基地局２０へ送信される（ステップＳ２１０）。
【００７６】
一方、ステップＳ２０７の判断にて、基地局２０に帯域割当て要求を繰り返して行う間隔Dimがフレーム単位でないと判断された場合にも（ステップＳ２０７：ＮＯ）、生成部１４０は、図９または図１０を参照しながら上記説明した帯域割当て要求ヘッダＨ５またはＨ６のフォーマットを使用して、基地局２０へ送信用の帯域割当て要求ヘッダを生成する。このとき、生成部１４０は、帯域割当て要求ヘッダＨ５またはＨ６の記録領域Ａ９２に、例えば「Dim=1:time」とセットすることにより、帯域割当て要求ヘッダＨ５またはＨ６の記録領域Ａ５に記録されたサイズの帯域が任意の時間（例えば１秒など）単位で繰り返して要求される旨を記録する（ステップＳ２１１）。
【００７７】
次に、ステップＳ２１１にて生成された帯域割当て要求ヘッダが当該基地局２０に送信され、帯域割当て要求が行われる（ステップＳ２０９）。次に、ステップＳ２０９にて行われた帯域割当て要求に応じて基地局２０が割当てた帯域を用いて、ステップＳ２０１にて受信したデータが基地局２０へ送信される（ステップＳ２１０）。
【００７８】
一方、ステップＳ２０６の判断にて、当該コーディングがリアルタイム固定ビットレートを表すものでないと判断された場合には（ステップＳ２０６：ＮＯ）、記録領域Ａ５が拡張されたフォーマットを使用する必要があるか否かが判断される。この判断は、上記ステップＳ２０１にて受信したＱｏＳ要求情報に含まれた基地局２０へ送信すべきデータのサイズを表す情報、および格納部１７０に格納されている閾値Ｘに基づいて行われることができる（ステップＳ２１２）。
【００７９】
ステップＳ２１２の判断にて、データのサイズが閾値Ｘを超えており、記録領域Ａ５が拡張されたフォーマットを使用する必要があると判断された場合には（ステップＳ２１２：ＹＥＳ）、生成部１４０は、図５または図７を参照しながら上記説明した帯域割当て要求ヘッダＨ１またはＨ３のフォーマットを使用して、基地局２０へ送信用の帯域割当て要求ヘッダを生成する（ステップＳ２１３）。次に、処理の流れは、上記説明したステップＳ２０９を経てステップＳ２１０に移行する。
【００８０】
一方、ステップＳ２１２の判断にて、データのサイズが閾値Ｘを超えておらず、記録領域Ａ５が拡張されたフォーマットを使用する必要がないと判断された場合には（ステップＳ２１２：ＮＯ）、生成部１４０は、図６または図８を参照しながら上記説明した帯域割当て要求ヘッダＨ２またはＨ４のフォーマットを使用して、基地局２０へ送信用の帯域割当て要求ヘッダを生成する（ステップＳ２１４）。次に、処理の流れは、上記説明したステップＳ２０９を経てステップＳ２１０に移行する。
【００８１】
一方、ステップＳ２０３の判断にてＱｏＳ要求情報にコーディング情報が入ってないと判断された場合（ステップＳ２０３：ＮＯ）、またはステップＳ２０５の判断にて当該コーディングが知っているコーディングでないと判断された場合には（ステップＳ２０５：ＮＯ）、最低保証ビットレートの要求があるか否かが判断される（ステップＳ２１５）。
【００８２】
ステップＳ２１５の判断にて、最低保証ビットレートの要求があると判断された場合には（ステップＳ２１５：ＹＥＳ）、基地局２０に帯域割当て要求を繰り返して行う間隔Dimはフレーム単位であるか否かが判断される（ステップＳ２１６）。
【００８３】
ステップＳ２１６の判断にて、基地局２０に帯域割当て要求を繰り返して行う間隔Dimはフレーム単位であると判断された場合には（ステップＳ２１６：ＹＥＳ）、処理の流れはステップＳ２０８を経てステップＳ２０９およびステップＳ２１０に移行する。
【００８４】
一方、ステップＳ２１６の判断にて、基地局２０に帯域割当て要求を繰り返して行う間隔Dimはフレーム単位でないと判断された場合には（ステップＳ２１６：ＮＯ）、基地局２０へ送信すべきデータのサイズを算出して、記録領域Ａ５が拡張されたフォーマットを使用する必要があるか否かを判断する。この判断にて、記録領域Ａ５が拡張されたフォーマットを使用する必要があると判断された場合には、処理の流れはステップＳ２１１を経てステップＳ２０９およびステップＳ２１０に移行する。一方、図示はしないが、この判断にて、記録領域Ａ５が拡張されたフォーマットを使用する必要がないと判断された場合には、処理の流れはステップＳ２１４を経てステップＳ２０９およびステップＳ２１０に移行しても良い。
【００８５】
一方、ステップＳ２１５の判断にて、最低保証ビットレートの要求がないと判断された場合には（ステップＳ２１５：ＮＯ）、処理の流れはステップＳ２１４を経てステップＳ２０９およびステップＳ２１０に移行する。
【００８６】
（図１２のフローチャートにおける動作）
一方、図１１のステップＳ２０２の判断にて、移動機１０と基地局２０との間の上り通信にUGSが利用可能であると判断された場合には（ステップＳ２０２：ＹＥＳ）、処理の流れは図１２に示すステップＳ３０１に移行する。すなわち、図１１のステップＳ２０１にて受信したＱｏＳ要求情報にコーディング情報が入っているか否かが判断される（ステップＳ３０１）。
【００８７】
ステップＳ３０１の判断にて、ＱｏＳ要求情報にコーディング情報が入っていると判断された場合には（ステップＳ３０１：ＹＥＳ）、コーディングテーブルを参照することにより（ステップＳ３０２）、当該コーディングが知っているコーディングであるか否かが判断される（ステップＳ３０３）。
【００８８】
ステップＳ３０３の判断にて、当該コーディングが知っているコーディングであると判断された場合には（ステップＳ３０３：ＹＥＳ）、当該コーディングがリアルタイム固定ビットレートを表すものであるか否かが判断される（ステップＳ３０４）。
【００８９】
ステップＳ３０４の判断にて、当該コーディングがリアルタイム固定ビットレートを表すものであると判断された場合には（ステップＳ３０４：ＹＥＳ）、基地局２０に帯域割当て要求を繰り返して行う間隔Dimはフレーム単位であるか否かが判断される（ステップＳ３０５）。
【００９０】
ステップＳ３０５の判断にて、基地局２０に帯域割当て要求を繰り返して行う間隔Dimはフレーム単位であると判断された場合には（ステップＳ３０５：ＹＥＳ）、基地局２０との間でＵＧＳに基づいた上り通信の接続要求が行われる。この手順を行うものとして、移動機１０は例えばＵＧＳ接続要求手段（図示せず）を更に備えていても良い（ステップＳ３０６）。
【００９１】
次に、ステップＳ３０６にて行われたＵＧＳに基づいた接続要求が基地局２０等のネットワーク側より拒否されたか否かが判断される（ステップＳ３０７）。
【００９２】
ステップＳ３０７の判断にて、ＵＧＳに基づいた接続要求がネットワーク側より拒否されたと判断された場合には（ステップＳ３０７：ＹＥＳ）、生成部１４０は、図９または図１０を参照しながら上記説明した帯域割当て要求ヘッダＨ５またはＨ６のフォーマットを使用して、基地局２０へ送信用の帯域割当て要求ヘッダを生成する。このとき、生成部１４０は、帯域割当て要求ヘッダＨ５またはＨ６の記録領域Ａ９２に、例えば「Dim=0:frame」とセットすることにより、帯域割当て要求ヘッダＨ５またはＨ６の記録領域Ａ５に記録されたサイズの帯域がフレーム単位で繰り返して要求される旨を記録する（ステップＳ３０８）。
【００９３】
次に、ステップＳ３０８にて生成された帯域割当て要求ヘッダが当該基地局２０に送信され、帯域割当て要求が行われる（ステップＳ３０９）。次に、ステップＳ３０９にて行われた帯域割当て要求に応じて基地局２０が割当てた帯域を用いて、図１１のステップＳ２０１にて受信したデータが基地局２０へ送信される（ステップＳ３１０）。
【００９４】
一方、ステップＳ３０７の判断にて、ＵＧＳに基づいた接続要求がネットワーク側より拒否されてないと判断された場合には（ステップＳ３０７：ＮＯ）、基地局２０との間でＵＧＳに基づいた上り通信の接続が行われる。この手順を行うものとして、移動機１０は例えばＵＧＳ接続手段（図示せず）を更に備えていても良い（ステップＳ３１１）。
【００９５】
次に、ステップＳ３１１にて接続されたＵＧＳに基づいた上り通信によって、図１１のステップＳ２０１にて受信したデータが基地局２０へ送信される（ステップＳ３１０）。
【００９６】
一方、ステップＳ３０５の判断にて、基地局２０に帯域割当て要求を繰り返して行う間隔Dimがフレーム単位でないと判断された場合にも（ステップＳ３０５：ＮＯ）、基地局２０との間でＵＧＳに基づいた上り通信の接続要求が行われる（ステップＳ３１２）。
【００９７】
次に、ステップＳ３１２にて行われたＵＧＳに基づいた接続要求が基地局２０等のネットワーク側より拒否されたか否かが判断される（ステップＳ３１３）。
【００９８】
ステップＳ３１３の判断にて、ＵＧＳに基づいた接続要求がネットワーク側より拒否されたと判断された場合には（ステップＳ３１３：ＹＥＳ）、生成部１４０は、図９または図１０を参照しながら上記説明した帯域割当て要求ヘッダＨ５またはＨ６のフォーマットを使用して、基地局２０へ送信用の帯域割当て要求ヘッダを生成する。このとき、生成部１４０は、帯域割当て要求ヘッダＨ５またはＨ６の記録領域Ａ９２に、例えば「Dim=1:time」とセットすることにより、帯域割当て要求ヘッダＨ５またはＨ６の記録領域Ａ５に記録されたサイズの帯域が任意の時間（例えば１秒など）単位で繰り返して要求される旨を記録する（ステップＳ３１４）。
【００９９】
次に、ステップＳ３１４にて生成された帯域割当て要求ヘッダが当該基地局２０に送信され、帯域割当て要求が行われる（ステップＳ３０９）。次に、ステップＳ３０９にて行われた帯域割当て要求に応じて基地局２０が割当てた帯域を用いて、図１１のステップＳ２０１にて受信したデータが基地局２０へ送信される（ステップＳ３１０）。
【０１００】
一方、ステップＳ３１３の判断にて、ＵＧＳに基づいた接続要求がネットワーク側より拒否されてないと判断された場合には（ステップＳ３１３：ＮＯ）、処理の流れは、上記説明したステップＳ３１１を経てステップＳ３１０に移行する。
【０１０１】
一方、ステップＳ３０４の判断にて、当該コーディングがリアルタイム固定ビットレートを表すものでないと判断された場合には（ステップＳ３０４：ＮＯ）、記録領域Ａ５が拡張されたフォーマットを使用する必要があるか否かが判断される。この判断は、上記ステップＳ２０１にて受信したＱｏＳ要求情報に含まれた基地局２０へ送信すべきデータのサイズを表す情報、および格納部１７０に格納されている閾値Ｘに基づいて行われることができる（ステップＳ３１５）。
【０１０２】
ステップＳ３１５の判断にて、データのサイズが閾値Ｘを超えており、記録領域Ａ５が拡張されたフォーマットを使用する必要があると判断された場合には（ステップＳ３１５：ＹＥＳ）、生成部１４０は、図５または図７を参照しながら上記説明した帯域割当て要求ヘッダＨ１またはＨ３のフォーマットを使用して、基地局２０へ送信用の帯域割当て要求ヘッダを生成する（ステップＳ３１６）。次に、処理の流れは、上記説明したステップＳ３０９を経てステップＳ３１０に移行する。
【０１０３】
一方、ステップＳ３１５の判断にて、データのサイズが閾値Ｘを超えておらず、記録領域Ａ５が拡張されたフォーマットを使用する必要がないと判断された場合には（ステップＳ３１５：ＮＯ）、生成部１４０は、図６または図８を参照しながら上記説明した帯域割当て要求ヘッダＨ２またはＨ４のフォーマットを使用して、基地局２０へ送信用の帯域割当て要求ヘッダを生成する（ステップＳ３１７）。次に、処理の流れは、上記説明したステップＳ３０９を経てステップＳ３１０に移行する。
【０１０４】
一方、ステップＳ３０１の判断にてＱｏＳ要求情報にコーディング情報が入ってないと判断された場合（ステップＳ３０１：ＮＯ）、またはステップＳ３０３の判断にて当該コーディングが知っているコーディングでないと判断された場合には（ステップＳ３０３：ＮＯ）、最低保証ビットレートの要求があるか否かが判断される（ステップＳ３１８）。
【０１０５】
ステップＳ３１８の判断にて、最低保証ビットレートの要求があると判断された場合には（ステップＳ３１８：ＹＥＳ）、基地局２０に帯域割当て要求を繰り返して行う間隔Dimはフレーム単位であるか否かが判断される（ステップＳ３１９）。
【０１０６】
ステップＳ３１９の判断にて、基地局２０に帯域割当て要求を繰り返して行う間隔Dimはフレーム単位であると判断された場合には（ステップＳ３１９：ＹＥＳ）、処理の流れは上記説明したステップＳ３０６に移行する。
【０１０７】
一方、ステップＳ３１９の判断にて、基地局２０に帯域割当て要求を繰り返して行う間隔Dimはフレーム単位でないと判断された場合には（ステップＳ３１９：ＮＯ）、基地局２０へ送信すべきデータのサイズを算出した後に（ステップＳ３２０）、処理の流れは上記説明したステップＳ３１２に移行する。
【０１０８】
一方、ステップＳ３１８の判断にて、最低保証ビットレートの要求がないと判断された場合には（ステップＳ３１８：ＮＯ）、処理の流れはステップＳ３１７を経て、ステップＳ３０９およびステップＳ３１０に移行する。
【０１０９】
以上により、特に、移動機１０が帯域割当て要求ヘッダＨ１〜Ｈ６のフォーマットを使用可能であり、何れかの帯域割当て要求ヘッダのフォーマットを選択的に使用して帯域割当ての要求を行う場合の、移動機１０の動作について説明した。なお、帯域割当て要求ヘッダを基地局２０へ送信するための帯域を確保するために、BW Request(CDMA request code)およびUL-MAP (CDMA allocation IE)を移動機１０のＱｏＳ要求処理部１２０と基地局２０との間で送受信する手順（例えば上記図２および図３におけるステップＳ１０２およびステップＳ１０３を参照）は、上記ステップＳ２０１とステップＳ２０２との間で行われていても良い。
【０１１０】
続いて、本実施形態にかかる通信システム１の作用及び効果について説明する。本実施形態によれば、基地局２０へ送信するデータのサイズが所定の閾値Ｘを超えた大きいサイズのデータであることが判断部１３０により判断された場合に、生成部１４０および割当て要求部１５０は記録領域Ａ５が拡張されているフォーマットの帯域割当て要求ヘッダを用いて帯域割当て要求を行う。当該フォーマットにおける記録領域Ａ５は拡張されているため、生成部１４０および割当て要求部１５０は当該拡張された記録領域Ａ５に大きい帯域サイズを記録して帯域割当て要求を行うことができる。つまり、割当て要求部１５０が１回で要求可能な帯域のサイズが大きくなる。
【０１１１】
したがって、割当て要求部１５０は、所望のサイズの帯域を基地局２０に要求するために、例えば記録領域Ａ５が小さく設定された帯域割当て要求ヘッダ（例えば帯域割当て要求ヘッダＨ２やＨ４等）を用いて小さいサイズの帯域を複数回にわたって頻繁に要求する代わりに、記録領域Ａ５が大きく拡張されている帯域割当て要求ヘッダ（例えば帯域割当て要求ヘッダＨ１やＨ３等）を用いて帯域割当て要求を行う回数を減らすことができる。以上により、本実施形態によれば、特に大量の上りトラフィックが発生した場合に、基地局２０に対する帯域割当て要求を効率的に行うことが可能となる。
【０１１２】
また、生成部１４０は、帯域割当て要求ヘッダの記録領域Ａ３に、記録領域Ａ５が拡張された旨を表す拡張フラグExtを記録する。このため、当該帯域割当て要求ヘッダを受信した基地局２０は、記録領域Ａ３に記録されている拡張フラグExtを確認することにより、移動機の割当て要求部１５０が記録領域Ａ５の拡張された帯域割当て要求ヘッダを用いて帯域割当て要求を行っていることを認識することができる。
【０１１３】
また、本実施形態によれば、上り通信における送信電力報告が無い場合には、記録領域Ａ５が１９ビットより大きく拡張されている。このため、割当て要求部１５０は、上り通信における送信電力報告が無い場合に、１回の上り帯域割当て要求で２１９-1bytes以上の帯域を基地局２０側に要求することができる。一方で、WiMAXの標準規格の元では、上り通信における送信電力報告が無い場合に、１回の上り帯域割当て要求で最大にしても２１９-1bytesまでの帯域しか要求できない。
【０１１４】
また、本実施形態によれば、上り通信における送信電力報告が有る場合には、記録領域Ａ５が１１ビットより大きく拡張されている。このため、割当て要求部１５０は、上り通信における送信電力報告が有る場合に、１回の上り帯域割当て要求で２１１-1bytes以上の帯域を基地局２０側に要求することができる。一方で、WiMAXの標準規格の元では、上り通信における送信電力報告が有る場合に、１回の上り帯域割当て要求で最大にしても２１１-1bytesまでの帯域しか要求できない。
【０１１５】
また、本実施形態によれば、帯域割当て要求ヘッダは記録領域Ａ９３を更に有しており、生成部１４０および割当て要求部１５０は当該記録領域Ａ９３に帯域割当て要求を繰り返して行う回数ｔを記録して帯域割当て要求を行う。このことにより、生成部１４０および割当て要求部１５０は、記録領域Ａ５に記録されたサイズ（例えば、サイズｓ）の帯域割当てを、記録領域Ａ９３に記録された回数ｔだけ複数回要求する旨を基地局２０に伝えることができる。つまり、生成部１４０および割当て要求部１５０は、サイズｓ＊回数ｔだけのサイズの帯域を基地局２０に要求するために、回数ｔだけ複数回の割当て要求を行う代わりに、１回の帯域割当て要求で上記帯域割当て要求を済ませることができる。以上により、本実施形態によれば、特に大量の上りトラフィックが発生した場合に、基地局２０に対する帯域割当て要求を効率的に行うことが可能となる。
【０１１６】
また、帯域割当て要求ヘッダは記録領域Ａ９１を更に有しており、生成部１４０は帯域割当て要求を繰り返して行う旨を表す繰り返しフラグRepを当該記録領域Ａ９１に記録する。このため、当該帯域割当て要求ヘッダを受信した基地局２０は、記録領域Ａ９１に記録されている繰り返しフラグRepを確認することにより、移動機の割当て要求部１５０が帯域割当て要求を繰り返して行っていることを認識することができる。
【０１１７】
また、本実施形態によれば、帯域割当て要求ヘッダは記録領域Ａ９２を更に有しており、生成部１４０および割当て要求部１５０は当該記録領域Ａ９２に帯域割当て要求を繰り返して行う間隔を記録して帯域割当て要求を行う。このことにより、割当て要求部１５０は、記録領域Ａ５に記録されたサイズの帯域割当てを、記録領域Ａ９２に記録された間隔ごとに、記録領域Ａ９３に記録された回数ｔだけ複数回要求する旨を基地局２０に伝えることができる。
【図面の簡単な説明】
【０１１８】
【図１】通信システム１の構成概要図である。
【図２】通信システム１の動作を示すシーケンス図である。
【図３】通信システム１の動作を示すシーケンス図である。
【図４】移動機１０のハードウェア構成図である。
【図５】記録領域Ａ５が拡張された帯域割当て要求ヘッダの一例をイメージしている図であって、上り通信における送信電力報告が無い場合に用いられる帯域割当て要求ヘッダＨ１のフォーマットを示す図である。
【図６】WiMAXの標準規格で定められている帯域割当て要求ヘッダをイメージしている図であって、上り通信における送信電力報告が無い場合に用いられる帯域割当て要求ヘッダＨ２のフォーマットを示す図である。
【図７】記録領域Ａ５が拡張された別の帯域割当て要求ヘッダの一例をイメージしている図であって、上り通信における送信電力報告が有る場合に用いられる帯域割当て要求ヘッダＨ３のフォーマットを示す図である。
【図８】WiMAXの標準規格で定められている帯域割当て要求ヘッダをイメージしている図であって、上り通信における送信電力報告が有る場合に用いられる帯域割当て要求ヘッダＨ４のフォーマットを示す図である。
【図９】記録領域Ａ５が拡張された更に別の帯域割当て要求ヘッダの一例をイメージしている図であって、上り通信における送信電力報告が無い場合に用いられる帯域割当て要求ヘッダＨ５のフォーマットを示す図である。
【図１０】記録領域Ａ５が拡張されたまた別の帯域割当て要求ヘッダの一例をイメージしている図であって、上り通信における送信電力報告が有る場合に用いられる帯域割当て要求ヘッダＨ６のフォーマットを示す図である。
【図１１】移動機が図５〜図１０に図示された帯域割当て要求ヘッダＨ１〜Ｈ６のフォーマットを使用可能であり、何れかの帯域割当て要求ヘッダのフォーマットを選択的に使用して帯域割当ての要求を行う場合の、移動機の動作を示すフローチャートである。
【図１２】移動機が図５〜図１０に図示された帯域割当て要求ヘッダＨ１〜Ｈ６のフォーマットを使用可能であり、何れかの帯域割当て要求ヘッダのフォーマットを選択的に使用して帯域割当ての要求を行う場合の、移動機の動作を示すフローチャートである。
【符号の説明】
【０１１９】
１…通信システム、１０…移動機、１１０…アプリケーション、１２０…要求処理部、１３０…判断部、１４０…生成部、１５０…要求部、１６０…データ送信部、１７０…格納部、２０…基地局、３０…データ送信端末。
【図１】
2009094807.tif 000003
【図２】
2009094807.tif 000004
【図３】
2009094807.tif 000005
【図４】
2009094807.tif 000006
【図５】
2009094807.tif 000007
【図６】
2009094807.tif 000008
【図７】
2009094807.tif 000009
【図８】
2009094807.tif 000010
【図９】
2009094807.tif 000011
【図１０】
2009094807.tif 000012
【図１１】
2009094807.tif 000013
【図１２】
2009094807.tif 000014